(57)【要約】【課題】  パチンコ遊技機において、遊技球による騒音の発生をより抑制する。【解決手段】  遊技球が転動流下可能な遊技領域２０を有する遊技盤１００と、遊技領域２０に対向して設けられる開口部３２を有するガラス枠３０と、遊技領域２０を視認可能に開口部３２に配置されるガラス板４０と、ガラス板４０における遊技領域２０側の面に設けられ、透光性を有するとともに遊技球が衝突した際の衝撃を緩和する軟質の緩衝部材５０とを有する構成にする。緩衝部材５０は、例えば透明なシリコンからなる。【選択図】        図６
2006296701.tif 000002
【特許請求の範囲】
【請求項１】
遊技球が転動流下可能な遊技領域を有する遊技盤と、
前記遊技領域に対向して設けられる開口部を有する枠体と、
前記遊技領域を視認可能に前記開口部に配置される透光性部材と、
前記透光性部材における前記遊技領域側の面に設けられ、透光性を有するとともに遊技球が衝突した際の衝撃を緩和する軟質の緩衝部材と、
を有することを特徴とする遊技機。
【請求項２】
前記緩衝部材は、透明なシリコンであることを特徴とする請求項１記載の遊技機。
【請求項３】
前記枠体には、前記透光性部材が嵌め込み可能な嵌込溝がその内周辺に設けられ、
前記嵌込溝の幅は、前記透光性部材と前記緩衝部材とを重ねた厚さよりも狭くなっていることを特徴とする請求項１または２記載の遊技機。
【請求項４】
緩衝部材が設けられた前記透光性部材の前記遊技領域と反対側には、前記遊技領域を視認可能に前記開口部に配置される透光性部材がさらに設けられていることを特徴とする請求項１〜３の何れか一項に記載の遊技機。
【発明の詳細な説明】
【技術分野】
【０００１】
本発明は遊技機に関し、特に、遊技球による騒音の発生の抑制に関するものである。
【背景技術】
【０００２】
従来の遊技機、特にパチンコ遊技機においては、ガラス枠（枠体）に嵌め込まれたガラスの裏面（遊技盤の遊技領域側の面）に合成樹脂（例えば、ポリ塩化ビニル、ポリカーボネート、ポリプロピレンなど）製の透明シートを貼着し、遊技球がガラスに直接当たるのを防ぐとともに、発生する音を吸収して防音効果を高めたものがある（例えば特開平９−２７６５１０号公報参照）。
【特許文献１】特開平９−２７６５１０号公報
【発明の開示】
【発明が解決しようとする課題】
【０００３】
しかしながら、上述した従来の遊技機では、遊技球がガラスに直接当たるのを防ぐとともに衝突音を吸収するに留まるために、遊技球による騒音をより有効に抑制するには不十分である。
【０００４】
そこで、本発明は、遊技球による騒音の発生をより抑制できる遊技機を提供することを目的とする。
【課題を解決するための手段】
【０００５】
上記課題を解決するため、請求項１に記載の本発明の遊技機は、遊技球が転動可能な遊技領域を有する遊技盤と、遊技領域に対向して設けられる開口部を有する枠体と、遊技領域を視認可能に開口部に配置される透光性部材と、透光性部材における遊技領域側の面に設けられ、透光性を有するとともに遊技球が衝突した際の衝撃を緩和する軟質の緩衝部材と、を有することを特徴とする。
【０００６】
これにより、透光性部材に対する遊技球の衝突音が緩衝部材により押えられるとともに、当該緩衝部材により衝突の衝撃が緩和されることで跳ね返って遊技盤に衝突した遊技球の衝撃も小さくなってその際に発生する音も小さくできるので、全体として遊技球による騒音の発生を一層抑制することが可能になる。
【０００７】
請求項２に記載の本発明は、請求項１記載の発明の構成に加えて、緩衝部材は透明なシリコンであることを特徴とする。
【０００８】
これにより、好適な透明性と遊技球の衝撃緩和性を有するとともに、シリコンには紫外線の遮断性があるので、遊技盤に描かれたキャラクタ画や背景画などの色褪せに伴う遊技盤の劣化を防止することができる。
【０００９】
請求項３に記載の本発明は、請求項１または２記載の発明の構成に加えて、枠体には、透光性部材が嵌め込み可能な嵌込溝がその内周辺に設けられ、嵌込溝の幅は、透光性部材と緩衝部材とを重ねた厚さよりも狭くなっていることを特徴とする。
【００１０】
これにより、透光性部材と緩衝部材とが嵌込溝によって挟み込まれるので、透光性部材自体の振動が阻止されて騒音の発生をさらに抑制することが可能になる。
【００１１】
請求項４に記載の本発明は、請求項１〜３の何れか一項に記載の発明の構成に加えて、緩衝部材が設けられた透光性部材の遊技領域と反対側には、遊技領域を視認可能に開口部に配置される透光性部材がさらに設けられていることを特徴とする。
【００１２】
これにより、透光性部材が２枚設けられているので、遊技球が透光性部材や遊技盤に衝突した際に発生した騒音の遮音性が向上して防音効果が高まる。
【発明の効果】
【００１３】
本発明によれば以下の効果を奏することができる。
【００１４】
すなわち、本発明によれば、透光性部材に対する遊技球の衝突音が緩衝部材により押えられるとともに、当該緩衝部材により衝突の衝撃が緩和されることで跳ね返って遊技盤に衝突した遊技球の衝撃も小さくなってその際に発生する音も小さくできるので、遊技球による騒音の発生を一層抑制することが可能になる。
【発明を実施するための最良の形態】
【００１５】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１６】
図１は本発明の一実施の形態である遊技機を示す斜視図、図２は本実施の形態に係る遊技盤を示す正面図、図３は図２の遊技盤の斜視図、図４は図１の遊技機においてガラス扉を開いた状態を示す斜視図、図５はガラス扉の内側に取り付けられたガラス枠およびガラスを示す斜視図、図６はガラス扉の内側に取り付けられたガラス枠およびガラスを遊技球と遊技盤との関係で概略的に示す横断面図である。
【００１７】
図１に示すように、パチンコ遊技機（遊技機）１は、遊技盤１００（図２参照）が装着された本体枠３ａがヒンジを介して島設備に固定される木枠３ｂに回動可能に取り付けられ（すなわち、本体枠３ａは、本体枠３ａの一方端を回動支点として支持されて当該木枠３ｂに開閉可能に取り付けられる。）、これら本体枠３ａおよび木枠３ｂで遊技機本体３が構成されている。そして、このような遊技機本体３に対して、遊技盤１００を視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００１８】
遊技盤１００は、図２に示すように、レール６に包囲され、遊技球の転動流下が可能な遊技領域２０を有している。そして、その遊技領域２０には、多数の遊技くぎや風車などの障害物（図示せず）、一般入賞口１２、通過ゲート１３、可変入賞装置である大入賞口１５、アウト口１６、始動入賞口１４，１７を有する電動役物構成部材１８からなる遊技部材が配置されている。
【００１９】
遊技盤１００の背面には、演出画像（例えば、遊技状態に対応したアニメーションやその他の報知情報など。）等を表示可能な表示領域２１ａを備えた表示装置である液晶表示装置（ＬＣＤ）２１が配置されている。
【００２０】
遊技盤１００が透明である本実施の形態では、液晶表示装置２１の表示領域２１ａが遊技盤１００を通して視認可能に配置されている。また、液晶表示装置２１にかえて、例えばＣＲＴ（陰極線管）あるいはプラズマディスプレイ等を用いることもできる。
【００２１】
上述したような遊技盤１００の下方には、図１に示すように、皿ユニット５が配置されている。
【００２２】
皿ユニット５の上部に、払い出された遊技球および遊技領域に打ち込まれる遊技球が貯留される上皿５ａが配置されているとともに、皿ユニット５の下部に、払い出しにより上皿５ａからオーバーフローした遊技球が貯留される下皿５ｂが配置されている。また、上皿５ａの所定の位置に、遊技終了時などにおいて上皿５ａに貯留された遊技球を下皿５ｂに移動させて取り出す場合に操作されるシャッタレバー１０とが設けられている。
【００２３】
皿ユニット５の右側には、レール６を介して遊技盤１００の遊技領域へ遊技球を打ち込む際に回動操作されるハンドル７が設けられている。ハンドル７には遊技球の発射を停止させるストップボタン（図示せず）が設けられている。
【００２４】
なお、ガラス扉４の上部の左右に設けられた部位８ａ，８ｂは、本体枠３ａに設けられているスピーカ９ａ，９ｂ（図４）にそれぞれ対応して、スピーカからの音声が聞こえるような構造になっている。
【００２５】
図２および図３に示すように四角形の遊技盤１００には、その４ヶ所の隅部に、本体枠３ａに設けられた４ヶ所の係合部（図示せず）のそれぞれと係合するブラケット１１０，１２０、および係合部１３０，１４０が設けられている。これにより、遊技盤１００は、ブラケット１１０，１２０を回動支点にして本体枠４ａに取り付けられ、係合部１３０，１４０が本体枠３ａの係合部と係合することにより本体枠３ａに固定される。
【００２６】
図４に示すように、本体枠３ａの裏面側にはガラス枠（枠体）３０が取り付けられており、このガラス枠３０に透明な２枚のガラス板（透光性部材）４０，４１が嵌め込まれている。したがって、前述した遊技盤１００の遊技領域２０は、このガラス板４０，４１を通して視認可能になっている。
【００２７】
なお、ガラス板は２枚でなくてもよく、例えば１枚あるいは３枚以上であってもよい。但し、本実施の形態のように２枚、あるいはそれ以上の枚数設けられていれば、遊技球がガラス板４０や遊技盤１００に衝突した際に発生する騒音の遮音性が向上して防音効果が高まるので、遊技者に快適な遊技環境を提供できる。
【００２８】
また、ガラス板以外であっても透光性を有していればよく、例えば透明なアクリル樹脂などを使用してもよい。
【００２９】
図５に詳しく示すように、ガラス枠３０は左右２カ所に位置して上下方向に延びる側辺部３０ａ，３０ｂ、および両端が側辺部３０ａおよび側辺部３０ｂの下端でそれぞれ連結して横方向に延びる下辺部３０ｃからなる。これら側辺部３０ａ、下辺部３０ｃおよび側辺部３０ｂが略９０°の角度をもって接続されていることにより、ガラス枠３０は上方に開いた略コ字形の形状を呈している。そして、２つの側辺部３０ａ，３０ｂと１つの下辺部３０ｃとにより、遊技領域２０に対向した領域である開口部３２が形成されている。
【００３０】
前述したガラス板４０，４１は、このようなガラス枠３０の開口部３２に配置されている。
【００３１】
すなわち、図６に示すように、ガラス枠３０には、その内周辺（側辺部３０ａ、下辺部３０ｃおよび側辺部３０ｂの開口部３２側の辺）にガラス板４０，４１が嵌め込み可能な嵌込溝３３，３４が前後方向の２カ所に形成されている。これにより、ガラス枠３０の上方向からガラス板４０，４１をそれぞれ側辺部３０ａ，３０ｂに形成された嵌込溝３３，３４に嵌め込み、これを下降させて下辺部３０ｃに形成された嵌込溝３３，３４に嵌め込むことによりガラス枠３０に保持され、当該ガラス枠３０の開口部３２に配置される。
【００３２】
例えば金属製のガラス枠３０は、下部が本体枠３ａに取り付けられた支持プレート（図示せず）に嵌め込まれるとともに、側辺部３０ａ，３０ｂにおいて外方に突出形成された固定部３１が本体枠３ａと嵌合することにより、本体枠３ａに固定されている。なお、ガラス枠３０は、金属製である必要はなく、例えば樹脂製などであってもよい。
【００３３】
図６において、遊技盤１００側に位置するガラス板４０の遊技領域２０側の面には、透明性があり、常温で弾性を有する軟質の緩衝部材５０が設けられている。この緩衝部材５０は、例えば透明なシリコンからなり、軟質であるために遊技球が衝突した際の衝撃を緩和する。なお、シリコンは、例えばフィルム上に加工されたものをガラス板４０に貼着することにより、ガラス板４０をシリコン溶液中に浸漬することにより、あるいはスプレーや刷毛などで塗布することにより、ガラス板４０に被覆される。但し、これら以外の方法で緩衝部材５０としてのシリコンをガラス板４０に設けてもよいことは勿論である。
【００３４】
なお、緩衝部材５０は透光性および軟質で衝撃緩和性を有していればよく、必ずしもシリコンである必要はなく、例えばエラストマ系材料など、種々のものを適用することが可能である。但し、緩衝部材５０としてシリコンのように紫外線の遮断性を有するものを用いれば、好適な透明性と遊技球の衝撃緩和性を有するのみならず、遊技盤１００に描かれたキャラクタ画や背景画などの色褪せに伴う遊技盤の劣化が防止される。
【００３５】
ここで、嵌込溝３３の幅Ｗ１は、ガラス板４０と緩衝部材５０とを重ねた厚さＷ２よりも狭くなっている。したがって、緩衝部材５０の設けられた遊技領域２０側のガラス板４０をガラス枠３０に取り付ける際には、緩衝部材５０を撓ませるようにして嵌込溝３３に嵌め込み、嵌込溝３３による挟み込みの抵抗に抗して押し込むようにする。
【００３６】
このように、本実施の形態のパチンコ遊技機１においては、遊技領域２０側のガラス板４０に緩衝部材５０が設けられているので、遊技領域２０に打ち込まれて転動流下する遊技球がガラス板４０に衝突したとしても、その衝突音は緩衝部材５０により大幅に押さえ込まれる。のみならず、軟質の緩衝部材５０により遊技球が衝突した際の衝撃が緩和されるので、例えば図６において、遊技球がガラス板４０に向かう際の速度Ａは、衝突により遊技盤１００に向かう際には速度Ａ’に減速される。したがって、遊技盤１００に衝突した遊技球の衝撃も小さくなってその際に発生する音も小さくできるので、遊技球による騒音の発生を一層抑制することが可能になる。
【００３７】
これにより、パチンコ遊技機１から発生する遊技球の衝突に起因した不快な音が大幅に減少されることになり、遊技者にとっての遊技の快適感を向上させることができる。
【００３８】
また、遊技領域２０側に位置する嵌込溝３３の幅Ｗ１は、ガラス板４０と緩衝部材５０とを重ねた厚さＷ２よりも狭くなっており、ガラス板４０と緩衝部材５０とが嵌込溝３３によって挟み込まれるようになるので、ガラス板４０自体の振動が阻止されて騒音の発生をさらに抑制することが可能になる。
【産業上の利用可能性】
【００３９】
以上の説明においては、本発明を遊技機の一つであるパチンコ遊技機に適用した場合が説明されているが、本発明はパチンコ遊技機に限定されるものではなく、たとえばスマートボールや雀球など遊技媒体として遊技球を用いた様々な遊技機に適用することが可能である。
【図面の簡単な説明】
【００４０】
【図１】本発明の一実施の形態である遊技機を示す斜視図である。
【図２】本実施の形態に係る遊技盤を示す正面図である。
【図３】図２の遊技盤の斜視図である。
【図４】図１の遊技機においてガラス扉を開いた状態を示す斜視図である。
【図５】ガラス扉の内側に取り付けられたガラス枠およびガラスを示す斜視図である。
【図６】ガラス扉の内側に取り付けられたガラス枠およびガラスを遊技球と遊技盤との関係で概略的に示す横断面図である。
【符号の説明】
【００４１】
１  パチンコ遊技機（遊技機）
３  遊技機本体
３ａ  本体枠
３ｂ  木枠
４  ガラス扉
４ａ  本体枠
５  皿ユニット
５ａ  上皿
５ｂ  下皿
６  レール
７  ハンドル
９ａ，９ｂ  スピーカ
１０  シャッタレバー
１２  一般入賞口
１３  通過ゲート
１４，１７  始動入賞口
１５  大入賞口
１６  アウト口
１８  電動役物構成部材
２０  遊技領域
２１  液晶表示装置
２１ａ  表示領域
３０  ガラス枠（枠体）
３０ａ，３０ｂ  側辺部
３０ｃ  下辺部
３１  固定部
３２  開口部
３３，３４  嵌込溝
４０，４１  ガラス板（透光性部材）
５０  緩衝部材
１００  遊技盤
１１０，１２０  ブラケット
１３０，１４０  係合部
【図１】
2006296701.tif 000003
【図２】
2006296701.tif 000004
【図３】
2006296701.tif 000005
【図４】
2006296701.tif 000006
【図５】
2006296701.tif 000007
【図６】
2006296701.tif 000008